(57)【要約】【課題】  出力元の部分コンテンツと出力先の部分コンテンツとが同時に再生されないようにするとともに、コンテンツの全体を順序通り連続的に再生する。【解決手段】  コンテンツ記憶部１３のコンテンツの一部を携帯型記録媒体２にムーブするムーブ処理部１８と、ムーブ処理部１８が処理した場合、上記コンテンツの一部を再生不能化する再生不能化部１９と、上記コンテンツの一部に出力前識別子を付与し、携帯型記録媒体２に記録される上記コンテンツの一部に出力後識別子を付与する識別子付与部１７と、コンテンツ記憶部１３及び携帯型記録媒体２の識別子と、出力前識別子と、出力後識別子とを記憶する管理情報記憶部２１と、ムーブ処理部１８が処理した後に、取得された全部の識別子が管理情報記憶部２１に記憶されている場合、コンテンツの全部を再生する再生部２３とを備える。【選択図】      図２
2006155403.tif 000002
【特許請求の範囲】
【請求項１】
第１の記録媒体に記録されているコンテンツの一部を第２の記録媒体に出力した後における前記コンテンツの再生を管理する装置であって、
前記第１の記録媒体に記録されているコンテンツの一部を前記第２の記録媒体に出力する出力手段と、
前記出力手段が前記コンテンツの一部を出力した場合、前記第１の記録媒体に記録されている前記コンテンツの一部を再生不能化する再生不能化手段と、
前記第１の記録媒体に記録されている前記コンテンツの一部に識別子として出力前識別子を付与し、前記出力手段が行なう処理により前記第２の記録媒体に記録される前記コンテンツの一部に識別子として出力後識別子を付与する識別子付与手段と、
記録媒体の識別子を取得する媒体識別子取得手段と、
前記出力手段が前記コンテンツの一部を出力する場合、前記媒体識別子取得手段によって取得された前記第１の記録媒体の識別子及び前記第２の記録媒体の識別子と、前記出力前識別子と、前記出力後識別子とを記憶する記憶手段と、
前記出力手段が前記コンテンツの一部を出力する場合、前記第１の記録媒体に前記出力前識別子が記録されるとともに、前記第２の記録媒体に前記出力後識別子が記録されるように制御する制御手段と、
コンテンツの識別子を取得するコンテンツ識別子取得手段と、
前記出力手段が前記コンテンツの一部を出力した後に、前記媒体識別子取得手段によって前記第１の記録媒体の識別子及び前記第２の記録媒体の識別子が取得されるとともに、前記コンテンツ識別子取得手段によって、前記第１の記録媒体から前記出力前識別子が取得され、前記第２の記録媒体から前記出力後識別子が取得され、取得された各識別子が前記記憶手段に記憶されている場合、前記コンテンツを再生する再生手段と
を備えるコンテンツ管理装置。
【請求項２】
更に、
前記出力前識別子及び前記出力後識別子を生成する識別子生成手段を備え、
前記識別子付与手段は、前記第１の記録媒体に記録されている前記コンテンツの一部に前記識別子生成手段によって生成された前記出力前識別子を付与し、前記第２の記録媒体に記録される前記コンテンツの一部に前記識別子生成手段によって生成された前記出力後識別子を付与する
請求項１記載のコンテンツ管理装置。
【請求項３】
前記識別子付与手段は、更に、前記コンテンツの残部に識別子として残部識別子を付与し、
前記記憶手段は、前記出力手段が前記コンテンツの一部を出力する場合、更に、前記残部識別子を記憶し、
前記制御手段は、前記出力手段が前記コンテンツの一部を出力する場合、更に、前記第１の記録媒体に前記残部識別子が記録されるように制御し、
前記再生手段は、前記出力手段が前記コンテンツの一部を出力した後に、更に、前記コンテンツ識別子取得手段によって、前記第１の記録媒体から前記残部識別子が取得され、取得された前記残部識別子が前記記憶手段に記憶されている場合、前記コンテンツを再生する
請求項１記載のコンテンツ管理装置。
【請求項４】
前記記憶手段は、前記出力手段が前記コンテンツの一部を出力する場合、前記第１の記録媒体に記録されている前記コンテンツの一部の先端位置及び終端位置の一方又は双方を記憶し、
前記再生手段は、前記記憶手段に記憶されている前記先端位置及び前記終端位置の一方又は双方を利用して、前記コンテンツを再生する
請求項１記載のコンテンツ管理装置。
【請求項５】
前記再生手段は、前記コンテンツの残部を再生するとともに、前記再生不能化手段によって再生不能化された前記コンテンツの一部を再生することにより、前記コンテンツを再生する
請求項１記載のコンテンツ管理装置。
【請求項６】
前記再生手段は、前記コンテンツの残部を再生するとともに、前記第２の記録媒体に出力された前記コンテンツの一部を再生することにより、前記コンテンツを再生する
請求項１記載のコンテンツ管理装置。
【請求項７】
更に、
前記第１の記録媒体が記録されているデータを書き換えることができる媒体であり、かつ、前記第２の記録媒体がデータを記録することができる媒体であるか否かを判定する媒体判定手段を備え、
前記出力手段は、前記第１の記録媒体が記録されているデータを書き換えることができる媒体であり、かつ、前記第２の記録媒体がデータを記録することができる媒体であると前記媒体判定手段によって判定された場合、前記第１の記録媒体に記録されているコンテンツの一部を前記第２の記録媒体に出力する
請求項１記載のコンテンツ管理装置。
【請求項８】
前記記憶手段は、前記再生手段が前記コンテンツを再生した場合、記憶している情報を削除する
請求項１記載のコンテンツ管理装置。
【請求項９】
更に、
前記記憶手段に記憶される情報を暗号化する暗号化手段と、
前記暗号化手段によって暗号化された情報を復号する復号手段とを備える
請求項１記載のコンテンツ管理装置。
【請求項１０】
更に、
前記出力手段によって出力される前記コンテンツの一部の品質を変換する変換手段を備え、
前記出力手段は、前記変換手段によって処理された前記コンテンツの一部を、前記第２の記録媒体に出力する
請求項１記載のコンテンツ管理装置。
【請求項１１】
前記変換手段は、外部からの指示に基づいて、前記再生不能化手段によって再生不能化された前記コンテンツの一部を復号し、前記コンテンツの一部の品質を変換する
請求項１０記載のコンテンツ管理装置。
【請求項１２】
前記変換手段は、
前記コンテンツが映像信号である場合、前記映像信号の圧縮方式、ビットレート、画像サイズ、及びフレームレートの一部又は全部を変換し、
前記コンテンツが音声信号である場合、前記音声信号の圧縮方式、ビットレート、サンプリング数、及びチャンネル数の一部又は全部を変換する
請求項１０記載のコンテンツ管理装置。
【請求項１３】
第１の記録媒体に記録されているコンテンツの一部を第２の記録媒体に出力した後における前記コンテンツの再生を管理する方法であって、
前記第１の記録媒体に記録されているコンテンツの一部を前記第２の記録媒体に出力する出力ステップと、
前記出力ステップにおいて前記コンテンツの一部を出力した場合、前記第１の記録媒体に記録されている前記コンテンツの一部を再生不能化する再生不能化ステップと、
前記第１の記録媒体に記録されている前記コンテンツの一部に識別子として出力前識別子を付与し、前記出力ステップにおいて行なう処理により前記第２の記録媒体に記録される前記コンテンツの一部に識別子として出力後識別子を付与する識別子付与ステップと、
記録媒体の識別子を取得する媒体識別子取得ステップと、
前記出力ステップにおいて前記コンテンツの一部を出力する場合、前記媒体識別子取得ステップにおいて取得した前記第１の記録媒体の識別子及び前記第２の記録媒体の識別子と、前記出力前識別子と、前記出力後識別子とを記憶手段に記憶させる記憶制御ステップと、
前記出力ステップにおいて前記コンテンツの一部を出力する場合、前記第１の記録媒体に前記出力前識別子が記録されるとともに、前記第２の記録媒体に前記出力後識別子が記録されるように制御する記録制御ステップと、
コンテンツの識別子を取得するコンテンツ識別子取得ステップと、
前記出力ステップにおいて前記コンテンツの一部を出力した後に、前記媒体識別子取得ステップにおいて前記第１の記録媒体の識別子及び前記第２の記録媒体の識別子を取得するとともに、前記コンテンツ識別子取得ステップにおいて、前記第１の記録媒体から前記出力前識別子を取得し、前記第２の記録媒体から前記出力後識別子を取得し、取得した各識別子が前記記憶手段に記憶されている場合、前記コンテンツを再生する再生ステップと
を含むコンテンツ管理方法。
【請求項１４】
第１の記録媒体に記録されているコンテンツの一部を第２の記録媒体に出力した後における前記コンテンツの再生を管理するためのプログラムであって、
前記第１の記録媒体に記録されているコンテンツの一部を前記第２の記録媒体に出力する出力ステップと、
前記出力ステップにおいて前記コンテンツの一部を出力した場合、前記第１の記録媒体に記録されている前記コンテンツの一部を再生不能化する再生不能化ステップと、
前記第１の記録媒体に記録されている前記コンテンツの一部に識別子として出力前識別子を付与し、前記出力ステップにおいて行なう処理により前記第２の記録媒体に記録される前記コンテンツの一部に識別子として出力後識別子を付与する識別子付与ステップと、
記録媒体の識別子を取得する媒体識別子取得ステップと、
前記出力ステップにおいて前記コンテンツの一部を出力する場合、前記媒体識別子取得ステップにおいて取得した前記第１の記録媒体の識別子及び前記第２の記録媒体の識別子と、前記出力前識別子と、前記出力後識別子とを記憶手段に記憶させる記憶制御ステップと、
前記出力ステップにおいて前記コンテンツの一部を出力する場合、前記第１の記録媒体に前記出力前識別子が記録されるとともに、前記第２の記録媒体に前記出力後識別子が記録されるように制御する記録制御ステップと、
コンテンツの識別子を取得するコンテンツ識別子取得ステップと、
前記出力ステップにおいて前記コンテンツの一部を出力した後に、前記媒体識別子取得ステップにおいて前記第１の記録媒体の識別子及び前記第２の記録媒体の識別子を取得するとともに、前記コンテンツ識別子取得ステップにおいて、前記第１の記録媒体から前記出力前識別子を取得し、前記第２の記録媒体から前記出力後識別子を取得し、取得した各識別子が前記記憶手段に記憶されている場合、前記コンテンツを再生する再生ステップと
をコンピュータに実行させるためのプログラム。
【請求項１５】
第１の記録媒体に記録されているコンテンツの一部を第２の記録媒体に出力した後における前記コンテンツの再生を管理する集積回路であって、
前記第１の記録媒体に記録されているコンテンツの一部を前記第２の記録媒体に出力する出力手段と、
前記出力手段が前記コンテンツの一部を出力した場合、前記第１の記録媒体に記録されている前記コンテンツの一部を再生不能化する再生不能化手段と、
前記第１の記録媒体に記録されている前記コンテンツの一部に識別子として出力前識別子を付与し、前記出力手段が行なう処理により前記第２の記録媒体に記録される前記コンテンツの一部に識別子として出力後識別子を付与する識別子付与手段と、
記録媒体の識別子を取得する媒体識別子取得手段と、
前記出力手段が前記コンテンツの一部を出力する場合、前記媒体識別子取得手段によって取得された前記第１の記録媒体の識別子及び前記第２の記録媒体の識別子と、前記出力前識別子と、前記出力後識別子とを記憶手段に記憶させる記憶制御手段と、
前記出力手段が前記コンテンツの一部を出力する場合、前記第１の記録媒体に前記出力前識別子が記録されるとともに、前記第２の記録媒体に前記出力後識別子が記録されるように制御する記録制御手段と、
コンテンツの識別子を取得するコンテンツ識別子取得手段と、
前記出力手段が前記コンテンツの一部を出力した後に、前記媒体識別子取得手段によって前記第１の記録媒体の識別子及び前記第２の記録媒体の識別子が取得されるとともに、前記コンテンツ識別子取得手段によって、前記第１の記録媒体から前記出力前識別子が取得され、前記第２の記録媒体から前記出力後識別子が取得され、取得された各識別子が前記記憶手段に記憶されている場合、前記コンテンツを再生する再生手段と
を備える集積回路。
【発明の詳細な説明】
【技術分野】
【０００１】
本発明は、コンテンツを移動した後におけるそのコンテンツの再生を管理するコンテンツ管理装置に関する。
【背景技術】
【０００２】
近年、アナログテレビ（ＳＤＴＶ）放送の信号を受信してデジタル化し、更に圧縮符号化してハードディスク（ＨＤＤ）やＤＶＤ−ＲＡＭ等の光ディスクに記録するデジタルビデオレコーダが普及している。更に、衛星波、地上波のデジタルハイビジョンテレビ（ＨＤＴＶ）放送の信号を記録可能なデジタルビデオレコーダも商品化され始めている。
【０００３】
デジタルテレビ放送の信号は、アナログテレビ放送の信号と異なり、コピーを繰り返しても画質や音質が劣化しないという特徴がある。したがって、コンテンツの著作権を保護するために、不正コピーを防止するための仕組みを確立することが重要である。デジタルテレビ放送の信号では、デジタル映像音声コンテンツにコピー制御信号が多重されており、放送信号が受信された際に１回だけ記録を許容するコピーワンスと呼ばれる仕組みが導入されている。これにより、コンテンツの著作権は保護されている。
【０００４】
コピーワンスのデジタル映像音声コンテンツは、ＨＤＤやＤＶＤ−ＲＡＭ等の記録媒体に記録されると、その時点でコピー不可の制御信号に書き換えられて複製することが禁止される。ただし、コンテンツが記録されている記録媒体（第１の記録媒体）から別の記録媒体（第２の記録媒体）にそのコンテンツを移動（ムーブ）させることは許されている。
【０００５】
例えば、特許文献１の「コンテンツのコピー管理方法、記録再生装置及び再生装置」では、コピー可能な権利数と同数の仮想コンテンツを持ち、コピー時には仮想コンテンツを移動し、移動元の仮想コンテンツを消去する。更に、コピー元とコピー先のコピー権利数を移動した数だけ増減させることで不正な複製を行なわせない技術が開示されている。
【特許文献１】特開２００２−３５８２４１号公報
【発明の開示】
【発明が解決しようとする課題】
【０００６】
しかしながら、第１の記録媒体から第２の記録媒体にコンテンツをムーブさせることは許されているが、第１の記録媒体に記録されているコンテンツは再生することができないように処理（再生不能化処理）される。そのため、例えば携帯端末でコンテンツを再生しようとして、コンテンツを第１の記録媒体から第２の記録媒体（例えばメモリカード）にムーブさせる際にそのコンテンツの画質等の品質を劣化させてムーブさせた場合、品質の低いコンテンツしか再生することができない。そこで、ムーブ前の品質の高いコンテンツを再生することができるとともに、コンテンツの著作権を保護するために、ムーブ前のコンテンツとムーブ後のコンテンツとを同時に再生することができないように、ムーブ前のコンテンツとムーブ後のコンテンツとを管理する技術が提供されることが考えられる。
【０００７】
ところで、第２の記録媒体に格納されるコンテンツの容量を少なくするため等の目的で、ユーザは、コンテンツの一部のみをムーブさせたいと考えることがある。例えば、テレビ番組のコンテンツをムーブさせる場合、ユーザはＣＭ部分を除いてムーブさせたいと考えることがある。しかしながら、従来、ムーブ前のコンテンツを再生することができるとともに、ムーブ対象となった、ムーブ前のコンテンツの一部（部分コンテンツ）と、ムーブ後のコンテンツの一部とを同時に再生することができないように、ムーブ前のコンテンツとムーブ後のコンテンツとを管理する方法は存在しない。そのため、そのような方法が提供されることが要望される。また、コンテンツの一部をムーブした場合、ムーブ対象となった部分のコンテンツと、ムーブ対象とならなかった部分のコンテンツとを、元の順序で連続的に再生する方法は存在しなかった。そのため、そのような方法が提供されることが要望される。
【０００８】
本発明は、上記課題を考慮し、コンテンツの一部である部分コンテンツを出力し、出力元の部分コンテンツと出力先の部分コンテンツとが同時に再生されないようにするとともに、コンテンツの全体を順序通り連続的に再生するコンテンツ管理装置を提供することを目的とする。
【課題を解決するための手段】
【０００９】
上記課題を解決し上記目的を達成するために、本発明のコンテンツ管理装置は、第１の記録媒体に記録されているコンテンツの一部を第２の記録媒体に出力した後における前記コンテンツの再生を管理する装置であって、前記第１の記録媒体に記録されているコンテンツの一部を前記第２の記録媒体に出力する出力手段と、前記出力手段が前記コンテンツの一部を出力した場合、前記第１の記録媒体に記録されている前記コンテンツの一部を再生不能化する再生不能化手段と、前記第１の記録媒体に記録されている前記コンテンツの一部に識別子として出力前識別子を付与し、前記出力手段が行なう処理により前記第２の記録媒体に記録される前記コンテンツの一部に識別子として出力後識別子を付与する識別子付与手段と、記録媒体の識別子を取得する媒体識別子取得手段と、前記出力手段が前記コンテンツの一部を出力する場合、前記媒体識別子取得手段によって取得された前記第１の記録媒体の識別子及び前記第２の記録媒体の識別子と、前記出力前識別子と、前記出力後識別子とを記憶する記憶手段と、前記出力手段が前記コンテンツの一部を出力する場合、前記第１の記録媒体に前記出力前識別子が記録されるとともに、前記第２の記録媒体に前記出力後識別子が記録されるように制御する制御手段と、コンテンツの識別子を取得するコンテンツ識別子取得手段と、前記出力手段が前記コンテンツの一部を出力した後に、前記媒体識別子取得手段によって前記第１の記録媒体の識別子及び前記第２の記録媒体の識別子が取得されるとともに、前記コンテンツ識別子取得手段によって、前記第１の記録媒体から前記出力前識別子が取得され、前記第２の記録媒体から前記出力後識別子が取得され、取得された各識別子が前記記憶手段に記憶されている場合、前記コンテンツを再生する再生手段とを備える。
【００１０】
本発明のコンテンツ管理装置は、前記第１の記録媒体の識別子及び前記第２の記録媒体の識別子が前記記憶手段に記憶されているだけでなく、前記第１の記録媒体に記録されている前記コンテンツの一部の識別子である前記出力前識別子と、前記第２の記録媒体に記録されている前記コンテンツの一部の識別子である前記出力後識別子とが前記記憶手段に記憶されている場合に、前記コンテンツを再生する。つまり、本発明のコンテンツ管理装置は、前記第１の記録媒体の識別子及び前記第２の記録媒体の識別子のみならず、コンテンツの識別子である前記出力前識別子及び前記出力後識別子を管理することにより、前記コンテンツの一部を前記第２の記録媒体に移動させた場合でも、前記コンテンツの全体を順序通り連続的に再生することができる。
【００１１】
本発明のコンテンツ管理装置は、更に、前記出力前識別子及び前記出力後識別子を生成する識別子生成手段を備え、前記識別子付与手段は、前記第１の記録媒体に記録されている前記コンテンツの一部に前記識別子生成手段によって生成された前記出力前識別子を付与し、前記第２の記録媒体に記録される前記コンテンツの一部に前記識別子生成手段によって生成された前記出力後識別子を付与してもよい。
【００１２】
また、前記識別子付与手段は、更に、前記コンテンツの残部に識別子として残部識別子を付与し、前記記憶手段は、前記出力手段が前記コンテンツの一部を出力する場合、更に、前記残部識別子を記憶し、前記制御手段は、前記出力手段が前記コンテンツの一部を出力する場合、更に、前記第１の記録媒体に前記残部識別子が記録されるように制御し、前記再生手段は、前記出力手段が前記コンテンツの一部を出力した後に、更に、前記コンテンツ識別子取得手段によって、前記第１の記録媒体から前記残部識別子が取得され、取得された前記残部識別子が前記記憶手段に記憶されている場合、前記コンテンツを再生することが好ましい。
【００１３】
また、前記記憶手段は、前記出力手段が前記コンテンツの一部を出力する場合、前記第１の記録媒体に記録されている前記コンテンツの一部の先端位置及び終端位置の一方又は双方を記憶し、前記再生手段は、前記記憶手段に記憶されている前記先端位置及び前記終端位置の一方又は双方を利用して、前記コンテンツを再生することが好ましい。
【００１４】
また、前記再生手段は、前記コンテンツの残部を再生するとともに、前記再生不能化手段によって再生不能化された前記コンテンツの一部を再生することにより、前記コンテンツを再生してもよい。
【００１５】
また、前記再生手段は、前記コンテンツの残部を再生するとともに、前記第２の記録媒体に出力された前記コンテンツの一部を再生することにより、前記コンテンツを再生してもよい。
【００１６】
また、本発明のコンテンツ管理装置は、更に、前記第１の記録媒体が記録されているデータを書き換えることができる媒体であり、かつ、前記第２の記録媒体がデータを記録することができる媒体であるか否かを判定する媒体判定手段を備え、前記出力手段は、前記第１の記録媒体が記録されているデータを書き換えることができる媒体であり、かつ、前記第２の記録媒体がデータを記録することができる媒体であると前記媒体判定手段によって判定された場合、前記第１の記録媒体に記録されているコンテンツの一部を前記第２の記録媒体に出力してもよい。
【００１７】
また、前記記憶手段は、前記再生手段が前記コンテンツを再生した場合、記憶している情報を削除してもよい。
【００１８】
また、本発明のコンテンツ管理装置は、更に、前記記憶手段に記憶される情報を暗号化する暗号化手段と、前記暗号化手段によって暗号化された情報を復号する復号手段とを備えてもよい。
【００１９】
また、本発明のコンテンツ管理装置は、更に、前記出力手段によって出力される前記コンテンツの一部の品質を変換する変換手段を備え、前記出力手段は、前記変換手段によって処理された前記コンテンツの一部を、前記第２の記録媒体に出力してもよい。
【００２０】
また、前記変換手段は、外部からの指示に基づいて、前記再生不能化手段によって再生不能化された前記コンテンツの一部を復号し、前記コンテンツの一部の品質を変換してもよい。
【００２１】
また、前記変換手段は、前記コンテンツが映像信号である場合、前記映像信号の圧縮方式、ビットレート、画像サイズ、及びフレームレートの一部又は全部を変換し、前記コンテンツが音声信号である場合、前記音声信号の圧縮方式、ビットレート、サンプリング数、及びチャンネル数の一部又は全部を変換してもよい。
【００２２】
更に、本発明は、本発明のコンテンツ管理装置の特徴的な構成手段をステップとする方法として実現したり、それらのステップを含むプログラムとして実現したり、そのプログラムが格納された、ＣＤ−ＲＯＭ等の記録媒体として実現したり、集積回路として実現することもできる。プログラムは、通信ネットワーク等の伝送媒体を介して流通させることもできる。
【発明の効果】
【００２３】
本発明は、コンテンツの一部である部分コンテンツを出力し、出力元の部分コンテンツと出力先の部分コンテンツとが同時に再生されないようにするとともに、コンテンツの全体を順序通り連続的に再生するコンテンツ管理装置を提供することができる。
【００２４】
本発明によれば、デジタル映像音声コンテンツの一部を再圧縮符号化してデータレートや解像度を下げてから外部記録媒体に出力（記録）した場合でも、出力元の部分コンテンツと出力先の部分コンテンツとは同時には再生されず、かつ、元の品質でコンテンツの全体を再生することが可能となる。また、何度でも元のコンテンツを復元することができるため、コンテンツの再圧縮符号化に失敗してもやり直すことが可能となる。
【発明を実施するための最良の形態】
【００２５】
以下に、本発明を実施するための最良の形態について、図面を参照して説明する。
（実施の形態１）
先ず、実施の形態１のコンテンツ管理装置１の構成を、図１及び図２を用いて説明する。
【００２６】
図１は、実施の形態１のコンテンツ管理装置１及び携帯型記録媒体２の外観を示す図である。コンテンツ管理装置１は、ディスク状の携帯型記録媒体２にコンテンツをムーブするとともに、そのコンテンツを再生する装置である。コンテンツ管理装置１は、コンテンツを携帯型記録媒体２にムーブする場合、コンテンツを削除するのではなく、コンテンツを後に復元することができるようにして再生不能化する。携帯型記録媒体２は、第２の記録媒体の一例であって、コンテンツが記録される媒体である。なお、実施の形態１では、第１の記録媒体は後述するコンテンツ記憶部１３であり、それはコンテンツ管理装置１に設けられている。
【００２７】
図２は、コンテンツ管理装置１及び携帯型記録媒体２の構成を示すブロック図である。図２に示すように、コンテンツ管理装置１は、受信部１１と、制御部１２と、コンテンツ記憶部１３と、判定部１４と、変換部１５と、識別子生成部１６と、識別子付与部１７と、ムーブ処理部１８と、再生不能化部１９と、媒体識別子取得部２０と、管理情報記憶部２１と、コンテンツ識別子取得部２２と、再生部２３とで構成されている。コンテンツ管理装置１を構成する各構成部の機能については、後にコンテンツ管理装置１の動作を説明する際にその動作とともに説明する。
【００２８】
次に、実施の形態１のコンテンツ管理装置１の動作を説明する。
実施の形態１では、地上波デジタル放送の信号等のデジタル信号が受信部１１によって既に受信され、制御部１２によって第１のコンテンツ１１１としてコンテンツ記憶部１３に既に格納されている場合を想定する。上記のデジタル信号は、コピーワンスの制限が課せられている信号であって、ＭＰＥＧ２方式で符号化されたストリームである場合を想定する。
【００２９】
また、実施の形態１では、コンテンツ管理装置１が第１のコンテンツ１１１の一部を携帯型記録媒体２にムーブすることを想定する。具体的には、図３に示すように、コンテンツ記憶部１３に格納されている第１のコンテンツ１１１をコンテンツＴ０からコンテンツＴ３の４個のコンテンツに分割したときの、コンテンツＴ１（“コンテンツＴａ１”と記載する場合がある。）とコンテンツＴ３（“コンテンツＴａ３”と記載する場合がある。）とを携帯型記録媒体２にムーブする場合を想定する。
【００３０】
その後、コンテンツ管理装置１が第１のコンテンツ１１１の全部を再生する場合を想定する。
【００３１】
（部分ムーブ）
先ず、第１のコンテンツ１１１の一部であるコンテンツＴ１とコンテンツＴ３とを携帯型記録媒体２にムーブする場合を、図４を用いて説明する。図４は、コンテンツＴ１とコンテンツＴ３とを携帯型記録媒体２にムーブする場合の各手順を示すフローチャートである。
【００３２】
部分的にムーブされるコンテンツＴ１及びコンテンツＴ３のストリーム上の位置が以下である場合を想定する。すなわち、コンテンツＴ１については、先頭位置がｐｉ０であり、終端位置がｐｏ０であって、コンテンツＴ３については、先頭位置がｐｉ１であり、終端位置がｐｏ１である。
【００３３】
判定部１４は、コンテンツ記憶部１３のメディア情報と、携帯型記録媒体２のメディア情報とを読み取り、コンテンツ記憶部１３及び携帯型記録媒体２が、コンテンツ記憶部１３に格納されているコンテンツをムーブすることができる媒体であるか否か、を判定する（Ｓ１）。例えば、判定部１４は、コンテンツ記憶部１３及び携帯型記録媒体２が既に記録されているデータを書き換えることができる記録媒体であるか否かを判定する。それとともに、判定部１４は、コンテンツ記憶部１３及び携帯型記録媒体２が著作権を保護するための仕組みを持った記録媒体であるか否かを判定する。それら二つの判定結果に基づいて、判定部１４は、コンテンツ記憶部１３及び携帯型記録媒体２がコンテンツをムーブすることができる媒体であるか否か、を判定する（Ｓ１）。具体的には、コンテンツ記憶部１３がライトワンスの記録媒体である場合、既に記録されているデータは消去することができないため、判定部１４は、コンテンツ記憶部１３がコンテンツをムーブすることができない媒体であると判定する（Ｓ１でＮｏ）。また、携帯型記録媒体２がＤＶＤ＋ＲＷのようにデータを書き換えることができるが、著作権を保護するための仕組みを持っていない記録媒体である場合、判定部１４は、携帯型記録媒体２がコンテンツをムーブすることができない媒体であると判定する（Ｓ１でＮｏ）。判定部１４が、コンテンツ記憶部１３及び携帯型記録媒体２がコンテンツをムーブすることができる媒体ではない、と判定した場合（Ｓ１でＮｏ）、コンテンツ管理装置１は、その判定結果を外部に報知して動作を終了する。
【００３４】
それに対して、判定部１４が、コンテンツ記憶部１３及び携帯型記録媒体２がコンテンツをムーブすることができる媒体である、と判定した場合（Ｓ１でＹｅｓ）、コンテンツ管理装置１の各構成部は以下の動作を行なう。
【００３５】
制御部１２は、コンテンツ記憶部１３に格納されている、コンテンツＴ１の先頭位置ｐｉ０から終端位置ｐｏ０までのストリームと、コンテンツＴ３の先頭位置ｐｉ１から終端位置ｐｏ１までのストリームとを順次読み取る（Ｓ２）。
【００３６】
変換部１５は、圧縮符号化されたコンテンツＴ１及びコンテンツＴ３の画質及び音質を低下させる等の変換処理を行なう（Ｓ３）。例えば、変換部１５は、圧縮符号化されたコンテンツＴ１及びコンテンツＴ３をベースバンドの映像信号と音声信号とに復号し、パラメータに従って、復号した映像信号と音声信号とを再圧縮符号化して変換後のストリームを生成する（Ｓ３）。映像についてのパラメータとしては、圧縮方式、画像サイズ、ビットレート、フレームレート等を特定する情報が挙げられる。音声についてのパラメータとしては、圧縮方式、ビットレート、サンプリング数、チャンネル数等を特定する情報が挙げられる。具体的には、コンテンツＴ１及びコンテンツＴ３を含む第１のコンテンツ１１１がＨＤＴＶ放送の信号のストリームであり、携帯型記録媒体２がＤＶＤ−ＲＡＭであって、変換部１５が、ＨＤＴＶ放送の信号のコンテンツをＳＤＴＶ放送の信号のコンテンツに変換する場合、変換部１５は以下の動作を行なう。すなわち、変換部１５は、映像の画像サイズをＨＤサイズ（例えば１９２０×１０８０インタレース）からＳＤサイズ（例えば７２０×４８０インタレース）に変換し、音声信号とあわせて約１０Ｍｂｐｓ以下になるように、コンテンツＴ１及びコンテンツＴ３のビットレートを変換する。また、音声信号についても、変換部１５は、例えば放送で使用されているＡＡＣ方式からＡＣ−３方式に変換する。なお、パラメータは予め決められていてもよいし、ユーザが設定してもよい。
【００３７】
また、以下では、説明の簡単化のために、図３に示すように、ムーブ対象の、変換部１５によって変換される前のコンテンツＴ１及びコンテンツＴ３を、それぞれ変換前コンテンツＴａ１及び変換前コンテンツＴａ３と表記する。また、変換部１５によって変換された後のコンテンツＴ１及びコンテンツＴ３を、それぞれ変換後コンテンツＴｂ１及び変換後コンテンツＴｂ３と表記する。
【００３８】
なお、変換部１５は、上述したように、変換前のコンテンツの圧縮方式と変換後のコンテンツの圧縮方式とが異なるように変換処理を行なってもよい。圧縮方式には、ＭＰＥＧ１、ＭＰＥＧ２、ＭＰＥＧ４、Ｈ．２６４、ＤＶ圧縮等の圧縮方式が含まれる。
【００３９】
識別子生成部１６は、コンテンツ記憶部１３に格納されているムーブされないコンテンツＴ０に付与される識別子として識別子“Ｂ０”を生成し、コンテンツ記憶部１３に格納されているムーブされないコンテンツＴ２に付与される識別子として識別子“Ｂ２”を生成する（Ｓ４）。また、識別子生成部１６は、変換前コンテンツＴａ１に付与される識別子として識別子“Ｃ１”を生成し、変換前コンテンツＴａ３に付与される識別子として識別子“Ｃ３”を生成する（Ｓ４）。更に、識別子生成部１６は、変換後コンテンツＴｂ１に付与される識別子として識別子“Ｄ１”を生成し、変換後コンテンツＴｂ３に付与される識別子として識別子“Ｄ３”を生成する（Ｓ４）。
【００４０】
識別子生成部１６は、各コンテンツに付与される識別子を生成する際、コンテンツ管理装置１を製造したメーカに関する情報、コンテンツ管理装置１の情報（例えばコンテンツ管理装置１のシリアルナンバ）、コンテンツの変換日時、乱数等の情報を用いて、各識別子を生成する。
【００４１】
識別子付与部１７は、図３に示すように、コンテンツ記憶部１３に格納されている第１のコンテンツ１１１に付与されていた識別子Ａを消去し、ムーブされないコンテンツＴ０に識別子“Ｂ０”を付与し、ムーブされないコンテンツＴ２に識別子“Ｂ２”を付与する（Ｓ４）。また、識別子付与部１７は、変換前コンテンツＴａ１に識別子“Ｃ１”を付与し、変換前コンテンツＴａ３に識別子“Ｃ３”を付与する（Ｓ４）。更に、識別子付与部１７は、変換後コンテンツＴｂ１に識別子“Ｄ１”を付与し、変換後コンテンツＴｂ３に識別子“Ｄ３”を付与する（Ｓ４）。
【００４２】
ムーブ処理部１８は、変換部１５によって変換されたストリーム、つまり変換後コンテンツＴｂ１及び変換後コンテンツＴｂ３を携帯型記録媒体２に記録する（Ｓ５）。このとき、ムーブ処理部１８は、変換後コンテンツＴｂ１の識別子“Ｄ１”と、変換後コンテンツＴｂ３の識別子“Ｄ３”とを、上記ストリームに格納することにより携帯型記録媒体２に記録する（Ｓ５）。ムーブ処理部１８は、例えば、ストリーム内のユーザ領域に、変換後コンテンツＴｂ１の識別子“Ｄ１”と、変換後コンテンツＴｂ３の識別子“Ｄ３”とを格納する。なお、ムーブ処理部１８は、変換後コンテンツＴｂ１及び変換後コンテンツＴｂ３を携帯型記録媒体２に記録する場合、ＣＰＲＭ等の著作権を保護する仕組みに基づいてスクランブル処理を行なった後に、記録処理を行なう。その際、ムーブ処理部１８は、識別子“Ｄ１”及び識別子“Ｄ３”についてもスクランブル処理を行なった後に、ストリーム内のユーザ領域に格納する。
【００４３】
ムーブ処理部１８が変換後コンテンツＴｂ１及び変換後コンテンツＴｂ３を携帯型記録媒体２に記録するとき、再生不能化部１９は、コンテンツ記憶部１３に格納されている変換前コンテンツＴａ１及び変換前コンテンツＴａ３を後に復元することができるようにして再生不能化する（Ｓ５）。例えば、再生不能化部１９は、変換前コンテンツＴａ１及び変換前コンテンツＴａ３を、暗号化して無効なデータに変えることにより再生不能化する。又は、再生不能化部１９は、変換前コンテンツＴａ１の先頭位置ｐｉ０及び終端位置ｐｏ０と、変換前コンテンツＴａ３の先頭位置ｐｉ１及び終端位置ｐｏ１とにポインタを付与しておき、コンテンツ記憶部１３に格納されている変換前コンテンツＴａ１及び変換前コンテンツＴａ３を含む第１のコンテンツ１１１が再生される際、変換前コンテンツＴａ１の先頭位置ｐｉ０から終端位置ｐｏ０に強制的にスキップし、かつ変換前コンテンツＴａ３の先頭位置ｐｉ１から終端位置ｐｏ１に強制的にスキップして、変換前コンテンツＴａ１及び変換前コンテンツＴａ３が再生されないように、変換前コンテンツＴａ１及び変換前コンテンツＴａ３を再生不能化する。
【００４４】
媒体識別子取得部２０は記録媒体の識別子を取得する（Ｓ６）。具体的には、媒体識別子取得部２０は、コンテンツ記憶部１３からその識別子である媒体識別子αを取得するとともに、携帯型記録媒体２からその識別子である媒体識別子βを取得する（Ｓ６）。
【００４５】
制御部１２は、コンテンツ記憶部１３の上における、コンテンツＴ０、変換前コンテンツＴａ１、コンテンツＴ２、及び変換前コンテンツＴａ３が格納されている位置を特定する情報を含むファイル管理情報ＦＡを取得する（Ｓ７）。
【００４６】
また、制御部１２は、図５に示すように、コンテンツ記憶部１３に関する識別子である、媒体識別子αと、コンテンツＴ０の識別子“Ｂ０”、コンテンツＴ２の識別子“Ｂ２”、変換前コンテンツＴａ１の識別子“Ｃ１”、及び変換前コンテンツＴａ３の識別子“Ｃ３”とを関連付けて、管理情報記憶部２１に格納する（Ｓ８）。その際、制御部１２は、オリジナルストリーム上での変換前コンテンツＴａ１の先頭位置ｐｉ０及び終端位置ｐｏ０と、変換前コンテンツＴａ３の先頭位置ｐｉ１及び終端位置ｐｏ１とを、媒体識別子α等と関連付けて管理情報記憶部２１に格納する（Ｓ８）。また、制御部１２は、ファイル管理情報ＦＡを媒体識別子α等と関連付けて管理情報記憶部２１に格納する（Ｓ８）。また、制御部１２は、コンテンツ記憶部１３から上記ファイル管理情報ＦＡを消去する。
【００４７】
更に、制御部１２は、携帯型記録媒体２に関する識別子である、媒体識別子βと、変換後コンテンツＴｂ１の識別子“Ｄ１”、及び変換後コンテンツＴｂ３の識別子“Ｄ３”とを関連付けて、管理情報記憶部２１に格納する（Ｓ８）。以下では、説明の簡単化のため、管理情報記憶部２１に格納される情報を“コンテンツ情報”と呼ぶ。
【００４８】
（逆ムーブ及び再生）
次に、第１のコンテンツ１１１の一部である変換後コンテンツＴｂ１と変換後コンテンツＴｂ３とが携帯型記録媒体２に部分的にムーブされた後に、第１のコンテンツ１１１を復元（逆ムーブ）し再生する場合を、図６を用いて説明する。図６は、変換後コンテンツＴｂ１と変換後コンテンツＴｂ３とが部分的にムーブされた後に、第１のコンテンツ１１１を復元し再生する場合の各手順を示すフローチャートである。
【００４９】
判定部１４は、コンテンツ記憶部１３及び携帯型記録媒体２が、携帯型記録媒体２に部分的にムーブされた変換後コンテンツＴｂ１と変換後コンテンツＴｂ３とを逆ムーブすることができる媒体であるか否か、を判定する（Ｓ１１）。例えば、判定部１４は、変換後コンテンツＴｂ１と変換後コンテンツＴｂ３とが携帯型記録媒体２に部分的にムーブされる場合と同様に、コンテンツ記憶部１３及び携帯型記録媒体２が既に記録されているデータを書き換えることができる記録媒体であるか否かを判定する。それとともに、判定部１４は、コンテンツ記憶部１３及び携帯型記録媒体２が著作権を保護するための仕組みを持った記録媒体であるか否かを判定する。それら二つの判定結果に基づいて、判定部１４は、コンテンツ記憶部１３及び携帯型記録媒体２が逆ムーブすることができる媒体であるか否か、を判定する（Ｓ１１）。判定部１４が、コンテンツ記憶部１３及び携帯型記録媒体２が逆ムーブすることができる媒体ではない、と判定した場合（Ｓ１１でＮｏ）、コンテンツ管理装置１は、その判定結果を外部に報知して動作を終了する。
【００５０】
それに対して、判定部１４が、コンテンツ記憶部１３及び携帯型記録媒体２が逆ムーブすることができる媒体である、と判定した場合（Ｓ１１でＹｅｓ）、コンテンツ管理装置１の各構成部は以下の動作を行なう。
【００５１】
媒体識別子取得部２０は記録媒体の識別子を取得する（Ｓ１２）。具体的には、媒体識別子取得部２０は、コンテンツ記憶部１３の識別子である媒体識別子αを取得するとともに、携帯型記録媒体２の識別子である媒体識別子βを取得する（Ｓ１２）。
【００５２】
コンテンツ識別子取得部２２は、コンテンツ記憶部１３から、コンテンツＴ０の識別子“Ｂ０”、コンテンツＴ２の識別子“Ｂ２”、変換前コンテンツＴａ１の識別子“Ｃ１”、及び変換前コンテンツＴａ３の識別子“Ｃ３”を取得する（Ｓ１３）。また、コンテンツ識別子取得部２２は、携帯型記録媒体２から、変換後コンテンツＴｂ１の識別子“Ｄ１”、及び変換後コンテンツＴｂ３の識別子“Ｄ３”を取得する（Ｓ１３）。なお、変換前コンテンツＴａ１及び変換前コンテンツＴａ３は再生不能化された状態で、コンテンツ記憶部１３に格納されている。
【００５３】
制御部１２は、コンテンツ記憶部１３からファイル管理情報ＦＡを取得する（Ｓ１４）。
【００５４】
判定部１４は、逆ムーブすることができるか否かを判定するために、媒体識別子取得部２０及びコンテンツ識別子取得部２２によって取得された各識別子が管理情報記憶部２１に格納されているコンテンツ情報に含まれているか否かを判定する（Ｓ１５）。なお、判定部１４は、逆ムーブすることができるか否かを判定するために、変換前コンテンツＴａ１の先頭位置ｐｉ０及び終端位置ｐｏ０と、変換前コンテンツＴａ３の先頭位置ｐｉ１及び終端位置ｐｏ１とを用いない。
【００５５】
判定部１４が、媒体識別子取得部２０等によって取得された全部の識別子がコンテンツ情報に含まれていない、と判定した場合（Ｓ１５でＮｏ）、コンテンツ管理装置１は、その判定結果を外部に報知して動作を終了する。
【００５６】
それに対して、判定部１４が、媒体識別子取得部２０等によって取得された全部の識別子が管理情報記憶部２１に格納されているコンテンツ情報に含まれている、と判定した場合（Ｓ１５でＹｅｓ）、制御部１２は、ファイル管理情報ＦＡをコンテンツ記憶部１３に格納し直す。再生不能化部１９は、格納し直されたファイル管理情報ＦＡを利用して、コンテンツ記憶部１３に再生不能化された状態で格納されている、第１のコンテンツ１１１の一部である変換前コンテンツＴａ１と変換前コンテンツＴａ３とを復元する（Ｓ１６）。例えば、再生不能化部１９は、コンテンツ記憶部１３に格納されているポインタを消去する、又は暗号化を解くことで変換前コンテンツＴａ１と変換前コンテンツＴａ３とを再生可能な状態に復元する（Ｓ１６）。それと同時に、再生不能化部１９は、携帯型記録媒体２に格納されている、変換後コンテンツＴｂ１及び変換後コンテンツＴｂ３を消去する。
【００５７】
そして、再生部２３は、コンテンツ記憶部１３に格納されている、コンテンツＴ０、変換前コンテンツＴａ１、コンテンツＴ２、及び変換前コンテンツＴａ３を、コンテンツＴ０、変換前コンテンツＴａ１、コンテンツＴ２、変換前コンテンツＴａ３の順に再生することにより、第１のコンテンツ１１１を再生する（Ｓ１６）。
【００５８】
なお、上述した実施の形態では、変換部１５は、変換前コンテンツＴａ１及び変換前コンテンツＴａ３に対して、画質及び音質を低下させる等の変換処理を行なうので、再生不能化部１９は、コンテンツ記憶部１３に再生不能化された状態で格納されている、第１のコンテンツ１１１の一部である変換前コンテンツＴａ１と変換前コンテンツＴａ３とを復元する。しかしながら、変換部１５は変換処理を行なわなくてもよい。その場合、判定部１４が、媒体識別子取得部２０等によって取得された各情報が管理情報記憶部２１に格納されているコンテンツ情報に含まれていると判定したとき、ムーブ処理部１８は、携帯型記録媒体２から、変換後コンテンツＴｂ１（実際は変換されていないことになる）及び変換後コンテンツＴｂ３（実際は変換されていないことになる）を取得する。そして、再生部２３は、コンテンツ記憶部１３に格納されているコンテンツＴ０及びコンテンツＴ２と、ムーブ処理部１８によって取得された変換後コンテンツＴｂ１及び変換後コンテンツＴｂ３とを、コンテンツＴ０、変換後コンテンツＴｂ１、コンテンツＴ２、変換後コンテンツＴｂ３の順に再生することにより、第１のコンテンツ１１１を再生してもよい。
【００５９】
この方法は、ムーブ処理部１８が変換後コンテンツＴｂ１及び変換後コンテンツＴｂ３を携帯型記録媒体２に記録するとき、再生不能化部１９が、コンテンツ記憶部１３に格納されている変換前コンテンツＴａ１及び変換前コンテンツＴａ３を、後に復元することができる状態にして再生不能化するのではなく削除し、その後に第１のコンテンツ１１１を再生する場合に有効である。
【００６０】
再生不能化部１９は、コンテンツ記憶部１３に格納されている変換前コンテンツＴａ１及び変換前コンテンツＴａ３を、再生不能化するのではなく削除してもよい。削除する場合、再生不能化部１９は、例えば、第１のコンテンツ１１１のファイル管理情報の、変換前コンテンツＴａ１及び変換前コンテンツＴａ３に関する部分を削除することにより、変換前コンテンツＴａ１及び変換前コンテンツＴａ３を削除してもよい。
【００６１】
また、管理情報記憶部２１に格納されているコンテンツ情報には、コンテンツ記憶部１３に格納されている変換前コンテンツＴａ１及び変換前コンテンツＴａ３と、携帯型記録媒体２に格納されている変換後コンテンツＴｂ１及び変換後コンテンツＴｂ３とのいずれがオリジナルであるのかを示す情報が含まれていてもよい。
【００６２】
また、上述した実施の形態１では、第１の記録媒体の一例としてコンテンツ記憶部１３を用いたが、第１の記録媒体は、コンテンツ管理装置１の内部に設けられていなくてもよい。携帯型記録媒体２と同様に、コンテンツ管理装置１の外部の記録媒体であってもよい。第１の記録媒体がＤＶＤ−Ｒである場合、ＤＶＤ−Ｒはライトワンスの記録媒体であるため、判定部１４は、第１の記録媒体がそれに格納されているコンテンツをムーブすることができない媒体である、と判定する。
【００６３】
また、再生部２３が第１のコンテンツ１１１を再生する場合、再生不能化部１９は、携帯型記録媒体２に格納されている、変換後コンテンツＴｂ１及び変換後コンテンツＴｂ３を消去するのではなく、再生不能化してもよい。例えば、再生不能化部１９は、変換後コンテンツＴｂ１及び変換後コンテンツＴｂ３のファイル管理情報を、ユーザがアクセスすることができない領域に移動する。又は、再生不能化部１９は、変換後コンテンツＴｂ１及び変換後コンテンツＴｂ３を暗号化する。これにより、再生不能化部１９は、携帯型記録媒体２に格納されている、変換後コンテンツＴｂ１及び変換後コンテンツＴｂ３を再生不能化してもよい。
【００６４】
また、再生部２３が第１のコンテンツ１１１を再生する場合、制御部１２は、管理情報記憶部２１に格納されるコンテンツ情報を消去してもよい。
【００６５】
また、変換部１５は、ユーザの指示等の外部からの指示に基づいて、再生不能化されたコンテンツを復号し、コンテンツの一部に対して新たに変換処理を行なってもよい。これにより、ユーザは、コンテンツを再圧縮符号化することに失敗してもやり直すことができる。
【００６６】
また、出力手段の一例としてムーブ処理部１８を用いたが、携帯型記録媒体２が自らデータを記録することができる媒体等であれば、ムーブ処理部１８はコンテンツを出力する手段に置き換えられてもよい。
【００６７】
（実施の形態２）
次に、実施の形態２のコンテンツ管理装置１００を、図７を用いて説明する。
【００６８】
図７は、実施の形態２のコンテンツ管理装置１００の構成を示すブロック図である。実施の形態２のコンテンツ管理装置１００は、実施の形態１のコンテンツ管理装置１が備えていないコンテンツ結合部５０を備えている点等が、コンテンツ管理装置１と異なる。したがって、以下では、コンテンツ管理装置１００の、コンテンツ管理装置１と異なる点のみを説明する。
【００６９】
（部分ムーブ）
コンテンツ結合部５０は、ムーブ処理部１８が変換後コンテンツＴｂ１及び変換後コンテンツＴｂ３を携帯型記録媒体２に記録する場合、図８に示すように、コンテンツ記憶部１３に格納されているコンテンツＴ０とコンテンツＴ２とを結合してストリームＴ０２を生成する。また、コンテンツ結合部５０は、変換前コンテンツＴａ１と変換前コンテンツＴａ３とを結合して変換前ストリームＴａ１３を生成する。そして、コンテンツ結合部５０は、結合したストリームＴ０２及び変換前ストリームＴａ１３をコンテンツ記憶部１３に記録する。その際、コンテンツ結合部５０は、オリジナルのストリームである第１のコンテンツ１１１を消去する。
【００７０】
識別子生成部１６は、ムーブされないストリームＴ０２に付与される識別子として識別子“Ｂ”を生成し、ムーブされる変換前ストリームＴａ１３に付与される識別子として識別子“Ｃ”を生成する。変換前ストリームＴａ１３は、携帯型記録媒体２に記録される場合、変換後ストリームＴｂ１３として記録される。そして、識別子生成部１６は、ムーブされた後の変換後ストリームＴｂ１３に付与される識別子として識別子“Ｄ”を生成する。識別子付与部１７は、ストリームＴ０２に識別子“Ｂ”を付与し、変換前ストリームＴａ１３に識別子“Ｃ”を付与し、変換後ストリームＴｂ１３に識別子“Ｄ”を付与する。
【００７１】
ムーブ処理部１８は、変換後ストリームＴｂ１３を携帯型記録媒体２に記録する。このとき、ムーブ処理部１８は、変換後ストリームＴｂ１３の識別子“Ｄ”を、変換後ストリームＴｂ１３に格納することにより携帯型記録媒体２に記録する。ムーブ処理部１８は、例えば、変換後ストリームＴｂ１３内のユーザ領域に、変換後ストリームＴｂ１３の識別子“Ｄ”を格納する。
【００７２】
再生不能化部１９は、部分的にムーブされる変換前コンテンツＴａ１と変換前コンテンツＴａ３とを結合することによって生成された変換前ストリームＴａ１３を、実施の形態１で説明したようにして再生不能化する。
【００７３】
制御部１２は、コンテンツ記憶部１３に関する識別子である、媒体識別子αと、ストリームＴ０２の識別子“Ｂ”及び変換前ストリームＴａ１３の識別子“Ｃ”とを関連付けて、管理情報記憶部２１に格納する。その際、制御部１２は、オリジナルストリーム上での変換前ストリームＴａ１３を構成する、変換前コンテンツＴａ１及び変換前コンテンツＴａ３の変換前コンテンツＴａ１の先頭位置ｐｉ０及び終端位置ｐｏ０と、変換前コンテンツＴａ３の先頭位置ｐｉ１及び終端位置ｐｏ１とを、媒体識別子α等と関連付けて管理情報記憶部２１に格納する。また、制御部１２は、コンテンツ記憶部１３の上における、ストリームＴ０２及び変換前ストリームＴａ１３のファイル管理情報を、媒体識別子α等と関連付けて管理情報記憶部２１に格納する。
【００７４】
また、制御部１２は、携帯型記録媒体２に関する識別子である、媒体識別子βと、変換後ストリームＴｂ１３の識別子“Ｄ”とを関連付けて、管理情報記憶部２１に格納する。
【００７５】
管理情報記憶部２１に格納される情報は“コンテンツ情報”である。
（逆ムーブ及び再生）
媒体識別子取得部２０は記録媒体の識別子を取得する。つまり、媒体識別子取得部２０は、コンテンツ記憶部１３の識別子である媒体識別子αを取得するとともに、携帯型記録媒体２の識別子である媒体識別子βを取得する。
【００７６】
コンテンツ識別子取得部２２は、コンテンツ記憶部１３から、ストリームＴ０２の識別子“Ｂ”と、変換前ストリームＴａ１３の識別子“Ｃ”とを取得する。また、コンテンツ識別子取得部２２は、携帯型記録媒体２から、変換後ストリームＴｂ１３の識別子“Ｄ”を取得する。
【００７７】
判定部１４は、逆ムーブすることができるか否かを判定するために、媒体識別子取得部２０等によって取得された全部の識別子が管理情報記憶部２１に格納されているコンテンツ情報に含まれているか否かを判定する。
【００７８】
判定部１４が媒体識別子取得部２０等によって取得された全部の識別子がコンテンツ情報に含まれていると判定した場合、再生不能化部１９は、コンテンツ記憶部１３に再生不能化された状態で格納されている、第１のコンテンツ１１１の一部である変換前ストリームＴａ１３を復元する。
【００７９】
そして、再生部２３は、オリジナルのストリーム上のポインタ情報に基づいて、コンテンツＴ０、変換前コンテンツＴａ１、コンテンツＴ２、変換前コンテンツＴａ３の順に、それら各コンテンツを結合して再生することにより、第１のコンテンツ１１１を再生する。
【００８０】
（実施の形態３）
次に、実施の形態３のコンテンツ管理装置１０１を、図９を用いて説明する。
【００８１】
図９は、実施の形態３のコンテンツ管理装置１０１の構成を示すブロック図である。実施の形態３のコンテンツ管理装置１０１は、実施の形態１のコンテンツ管理装置１が備えていない暗号処理部５１を備えている点のみが、コンテンツ管理装置１と異なる。したがって、以下では、コンテンツ管理装置１０１の、コンテンツ管理装置１と異なる点のみを説明する。
【００８２】
実施の形態１では、ムーブ処理部１８が変換後コンテンツＴｂ１及び変換後コンテンツＴｂ３を携帯型記録媒体２に記録する場合、制御部１２はコンテンツ情報を管理情報記憶部２１に格納する。
【００８３】
それに対して実施の形態３では、ムーブ処理部１８が変換後コンテンツＴｂ１及び変換後コンテンツＴｂ３を携帯型記録媒体２に記録する場合、暗号処理部５１がコンテンツ情報を暗号化し、制御部１２は、暗号処理部５１によって暗号化されたコンテンツ情報を管理情報記憶部２１に格納する。逆ムーブ処理時には、暗号処理部５１は、暗号化されているコンテンツ情報の暗号化を解き、解かれたコンテンツ情報を判定部１４に渡す。
【００８４】
暗号処理部５１は、コンテンツ情報の一部のみを、例えばファイル管理情報のみを暗号化してもよい。
【００８５】
なお、上述した実施の形態では、コンテンツ管理装置１が第１のコンテンツ１１１の一部を携帯型記録媒体２にムーブする場合を説明した。コンテンツ管理装置１は、第１のコンテンツ１１１の全部を携帯型記録媒体２にムーブすることもできる。その場合、図１０に示すように、コンテンツ管理装置１は、第１のコンテンツ１１１に識別子“Ａ”を付与し、携帯型記録媒体２に記録されるコンテンツに識別子“Ｘ”を付与する。逆ムーブ及び再生処理時には、コンテンツ管理装置１は、図３に示す変換前コンテンツＴａ１又はそれに対応する変換後コンテンツＴｂ１を再生する場合と同様に、第１のコンテンツ１１１又は、携帯型記録媒体２に記録されるコンテンツを再生する。
【００８６】
また、コンテンツ管理装置１は、図１１に示すように、第１のコンテンツ１１１の一部を携帯型記録媒体２にムーブした後に、携帯型記録媒体２にムーブされたコンテンツの一部を携帯型記録媒体２００に更にムーブすることができる。コンテンツ管理装置１は、二つの記録媒体の識別子のみならず、二つのコンテンツの識別子が管理情報記憶部２１に格納されているコンテンツ情報に含まれている場合、コンテンツの全体を再生する。このように、コンテンツ管理装置１は、記録媒体の識別子のみならず、コンテンツの識別子を管理する。
【００８７】
記録媒体の識別子のみを管理する場合、識別子“Ｃ１”及び“Ｃ３”が付与されたコンテンツＴａ１及びＴａ３が第１のコンテンツ１１１の大部分であれば、携帯型記録媒体２に記録されている、コンテンツＴａ１及びＴａ３に対応するコンテンツＴｂ１及びＴｂ３の一部の識別子“Ｅ”が付与されたコンテンツＴｃ１を削除すれば、残部の識別子“Ｆ”が付与されたコンテンツＴｃ２に対応する識別子“Ｇ”が付与されたコンテンツＴｄを携帯型記録媒体２００にコピーすることができる。しかしながら、上述したように、コンテンツ管理装置１は、記録媒体の識別子のみならず、コンテンツの識別子を管理する。したがって、識別子“Ｇ”が付与されたコンテンツＴｄが携帯型記録媒体２００にコピーされるという問題を発生させることはない。
【産業上の利用可能性】
【００８８】
本発明のコンテンツ管理装置は、デジタルテレビ放送等の信号で著作権が保護されたデジタル映像音声データを受信してＨＤＤ等の第１の記録媒体に記録し、再生不能化してそのデータを第２の記録媒体に出力した後に、そのデータを再生する装置等として有用である。
【図面の簡単な説明】
【００８９】
【図１】実施の形態１のコンテンツ管理装置１及び携帯型記録媒体２の外観を示す図である。
【図２】実施の形態１のコンテンツ管理装置１及び携帯型記録媒体２の構成を示すブロック図である。
【図３】実施の形態１における部分ムーブを説明するための図である。
【図４】実施の形態１のコンテンツ管理装置１の動作を示す第１のフローチャートである。
【図５】実施の形態１のコンテンツ情報を示す図である。
【図６】実施の形態１のコンテンツ管理装置１の動作を示す第２のフローチャートである。
【図７】実施の形態２のコンテンツ管理装置１００及び携帯型記録媒体２の構成を示すブロック図である。
【図８】実施の形態２における部分ムーブを説明するための図である。
【図９】実施の形態３のコンテンツ管理装置１０１及び携帯型記録媒体２の構成を示すブロック図である。
【図１０】全部ムーブを説明するための図である。
【図１１】再度の部分ムーブ及びコンテンツ管理装置の効果を説明するための図である。
【符号の説明】
【００９０】
１  コンテンツ管理装置
２  携帯型記録媒体
１１  受信部
１２  制御部
１３  コンテンツ記憶部
１４  判定部
１５  変換部
１６  識別子生成部
１７  識別子付与部
１８  ムーブ処理部
１９  再生不能化部
２０  媒体識別子取得部
２１  管理情報記憶部
２２  コンテンツ識別子取得部
２３  再生部
【図１】
2006155403.tif 000003
【図２】
2006155403.tif 000004
【図３】
2006155403.tif 000005
【図４】
2006155403.tif 000006
【図５】
2006155403.tif 000007
【図６】
2006155403.tif 000008
【図７】
2006155403.tif 000009
【図８】
2006155403.tif 000010
【図９】
2006155403.tif 000011
【図１０】
2006155403.tif 000012
【図１１】
2006155403.tif 000013